(57)【要約】【課題】空気調和機の室外機ケーシングが大型化するのを防止するとともにコストを減らすことにある。【解決手段】空気調和機１の室外機３において所定の発熱部品を含む複数の電装品５２を収納する電装品ユニット５であって、支持部材５１と、リアクタ５２１とを備えている。支持部材５１は、複数の電装品５２の一部を配置可能な配置部５１１と、配置部５１１から外方に突出して設けられた突出部５１２とを有する。複数の電装品５２の一つであって、他の電装品５２から離れて配置され、突出部５１２に取り付けられている。【選択図】図１
2008082577.tif 000002
【特許請求の範囲】
【請求項１】
空気調和機（１）の室外機（３）において所定の発熱部品を含む複数の電装品（５２）を収納する電装品ユニット（５）であって、
前記複数の電装品（５２）の一部を配置可能な配置部（５１１）と、前記配置部（５１１）から外方に突出して設けられた突出部（５１２）とを有する支持部材（５１）と、
前記複数の電装品（５２）の一つであって、前記他の電装品（５２）から離れて配置され、前記突出部（５１２）に取り付けられたリアクタ（５２１）と、
を備えた電装品ユニット（５）。
【請求項２】
前記支持部材（５１）は、
前記突出部（５１２）の前記配置部（５１１）側の第１端部の前記第１端部の逆側の第２端部から下側に延びるように設けられ、
端子板（５３）を配置可能な下方板状部（５１３）をさらに有している、
請求項１に記載の電装品ユニット（５）。
【請求項３】
前記配置部（５１１）は、前記リアクタ（５２１）以外の前記電装品（５２）の上側に配置される板状の部分（５１１ａ）と、前記リアクタ（５２１）以外の前記電装品（５２）の側部に、前記板状の部分（５１１ａ）から下側に垂れ下がるように配置された側部支持部（５１１ｂ）とを有し、
前記側部支持部（５１１ｂ）の下側端部（５１１ｃ）と前記下方板状部（５１３）の下端部（５１３ｅ）とがほぼ同じ高さ位置に位置する、
請求項２に記載の電装品ユニット（５）。
【請求項４】
前記支持部材（５１）は防炎部材によって形成されている、請求項１から３のいずれかに記載の電装品ユニット。
【請求項５】
前記突出部（５１２）は上面に前記突出部（５１２）の突出方向に延びて形成された凹状部（５１２ｃ）を有する、請求項１から４のいずれかに記載の電装品ユニット。
【発明の詳細な説明】
【技術分野】
【０００１】
本発明は、電装品ユニット、特に、空気調和機の室外機において所定の発熱部品を含む電装品を支持する電装品ユニットに関する。
【背景技術】
【０００２】
空気調和機の室外機は、一般に難燃性材料からなる室外機ケーシング内に、熱交換器、室外ファン、圧縮機、リアクタ等を有しているものが多い。また、室外機ケーシング内には、パワートランジスタやコンデンサ等の各種電装品を内蔵する電装品ユニットが配置されている。この電装品ユニット内の制御回路によって、室外ファンや圧縮機などに駆動電力が供給されるとともに、それらの駆動制御がなされる。
【０００３】
ここで、一般的に、リアクタは、配線などの関係から電装品ユニットの近傍に配置するのが望ましいが、リアクタが発する熱の影響を電装品ユニットが受けにくくする必要があるためにリアクタを電装品ユニットから近すぎる位置に配置するのは困難である（特許文献１参照）。さらに、リアクタは電装品ユニットから離れた位置に取り付けられている。
【特許文献１】特開２００４−９３０８５号公報
【発明の開示】
【発明が解決しようとする課題】
【０００４】
従来の空気調和機の室外機では、電装品ユニットから離れた位置にしてリアクタが取り付けられているために、室外機ケーシングが大きくなってしまうことがある。
【０００５】
また、リアクタが電装品ユニットから離れた位置に配置されているために、電装品ユニットとリアクタとの間の配線が長くなる。このために、高いコストが必要である
本発明の課題は、空気調和機の室外機ケーシングが大型化するのを防止するとともにコストを減らすことにある。
【課題を解決するための手段】
【０００６】
発明１に係る電装品ユニットは、空気調和機の室外機において所定の発熱部品を含む複数の電装品を収納する電装品ユニットであって、支持部材と、リアクタとを備えている。支持部材は、複数の電装品の一部を配置可能な配置部と、配置部から外方に突出して設けられた突出部とを有する。複数の電装品の一つであって、他の電装品から離れて配置され、突出部に取り付けられている。
【０００７】
この電装品ユニットでは、支持部材の配置部に複数の電装品の一部が配置されており、支持部材の突出部にリアクタが他の電装品から離されて取り付けられている。
【０００８】
ここでは、電装品ユニットとして複数の電装品が取り付けられた支持部材の突出部にリアクタが取り付けられているために、配線に必要な材料を減らすことができ、装置の小型化及びコストを削減することができる。
【０００９】
発明２に係る電装品ユニットは、発明１に記載の電装品ユニットであって、支持部材は、突出部の配置部側の第１端部の第１端部の逆側の第２端部から下側に延びるように設けられ、複数の電装品の端子を含む端子板を配置可能な下方板状部をさらに有している。
【００１０】
この電装品ユニットでは、突出部の配置部側の第１端部の第１端部の逆側の第２端部から下側に延びる下方板状部に端子板を取り付ける。
【００１１】
ここでは、端子板を電装品ユニットに一体に支持することができる。また、さらに配線に必要な材料などを減らすことができる。
【００１２】
発明３に係る電装品ユニットは、発明１または２に記載の電装品ユニットであって、配置部は、リアクタ以外の電装品の上側に配置される板状の部分と、リアクタ以外の電装品の側部に、板状の部分から下側に垂れ下がるように配置された側部支持部とを有し、側部支持部の下側端部と下方板状部の下側端部とがほぼ同じ高さ位置に位置する。
【００１３】
この電装品ユニットでは、空気調和機の室外機に取り付ける際に、電装品ユニットを一時的に机などに置いて作業する場合がある。この場合に、側部支持部の下側端部と下方板状部の下側端部とがほぼ同じ高さ位置であるために姿勢を保った状態（側部支持部の下側端部と下方板状部の下側端部とを机に接触させた状態）で電装品ユニットを置くことができ、作業しやすくなる。
【００１４】
発明４に係る電装品ユニットは、発明１から３のいずれかに記載の電装品ユニットであって、支持部材は防炎部材によって形成されている。
【００１５】
この電装品ユニットでは、支持部材が防炎部材で形成されている。このために、複数の電装品が燃えた場合であっても、他の部品が燃えにくくすることができる。
【００１６】
発明５に係る電装品ユニットは、発明１から４のいずれかに記載の電装品ユニットであって、上面に突出部の突出方向に延びて形成された凹状部を有する。
【００１７】
この電装品ユニットでは、突出部の上面に突出方向に沿って形成された凹状の部分が形成されている。このために、突出方向の強度がさらに高くなっている。このために、リアクタの支持をさらに安定させることができる。
【発明の効果】
【００１８】
発明１に係る電装品ユニットでは、電装品ユニットとして複数の電装品が取り付けられた支持部材の突出部にリアクタが取り付けられているために、配線に必要な材料を減らすことができ、装置の小型化及びコストを削減することができる。
【００１９】
発明２に係る電装品ユニットでは、端子板を電装品ユニットに一体に支持することができる。また、さらに配線に必要な材料などを減らすことができる。
【００２０】
発明３に係る電装品ユニットでは、電装品の一部の下側端部と下方板状部の下側端部とがほぼ同じ高さ位置であるために姿勢を保った状態（電装品の一部の下側端部と下方板状部の下側端部とを脚として立てた状態）で電装品ユニットを置くことができ、作業しやすくなる。
【００２１】
発明４に係る電装品ユニットでは、複数の電装品が燃えた場合であっても、他の部品が燃えにくくすることができる。
【００２２】
発明５に係る電装品ユニットでは、リアクタの支持をさらに安定させることができる。
【発明を実施するための最良の形態】
【００２３】
１．構成
図１に本発明の一実施形態に係る電装品ユニット５（図３など参照）を備えた空気調和機１を示す。空気調和機１は、屋内に取り付けられる室内機２と、屋外に設置される室外機３と、室外機３と室内機２とを結ぶ冷媒配管４とを備えている。本発明は室外機３の内部に配置された電装品ユニット５に関するものであるために室外機３について主に説明する。
【００２４】
室外機３を図２及び図３に示す。室外機３は、ケーシング３１と、熱交換器３２と、圧縮機３３と、送風部３４と、電装品ユニット５とを備えている。そして、室外機３の内部は仕切り板３５によって、電装品ユニット５や圧縮機３３が配置される機械室３７と、熱交換器３２やファン３４３などが配置された通風室３６とに分けられている。仕切り板３５は、平板状の部材であって、略長方形状の切り欠き３５１を有している。図６に示すように、この切り欠き３５１の上部には所定長さのレール３５２が設けられており、下部には長方形の孔３５３を有する板状部材３５４が設けられている。なお、電装品ユニット５については後に詳述する。
【００２５】
ケーシング３１は、略直方体形状の部材であって、板金と樹脂によって形成されている。また、ケーシング３１は、送風口３１１ａと吸気口（図示せず）とを有しており、吸気口から吸い込んだ空気を送風口３１１ａから送風する。この送風口３１１ａ及び吸気口は、通風室３６側に配置されている。また、図２に示すようにケーシング３１は、ケース本体３１１と、ケース側壁部３１２と、樹脂カバー３１３とを備えている。ケース本体３１１は圧縮機３３や熱交換器３２を覆う部材である。ケース側壁部３１２は、ケース本体の機械室３７側端部に配置されており、開口３１ａを有する板状の部材である。樹脂カバー３１３は、側壁部３１２の外部に取り付けられており、冷媒配管４の一部を覆う板状の部材である。
【００２６】
熱交換器３２は、図３に示すように、Ｌ字状の機器である。熱交換器３２は、複数のフィンをＬ字になるように配置したフィン部分３２１と、フィン部分３２１に支持されるように複数回折り曲げられて配置された配管３２２とを有する。この配管３２２の内部には冷媒、例えばフルオロカーボンなどが流れている。
【００２７】
圧縮機３３は、機械室３７の仕切り板３５の近傍に配置されており、冷媒を圧縮するための機械である。例えば、低圧の冷媒ガスを圧縮して高圧の冷媒ガスにする機械である。また、圧縮機３３は電装品ユニット５の下側に配置されている。さらに、圧縮機３３は、円柱状のケース３３１と、冷媒を圧縮する機構及び電動機など（図示せず）とを有している。冷媒を圧縮する機構及び電動機などは円柱状のケース３３１の内部に配置されている。
【００２８】
送風部３４は、通風室３６に設けられた部材であって、通風室３６内の空気を外部に送風するための部分である。また、送風部３４は、ファンモータ３４１と、ファン台３４２と、ファン３４３とを備えている。ファンモータ３４１は、ファン３４３を回転させる動力を発生させるものであって、円柱状のモータ部３４１ａと、円柱状のモータ部３４１ａによって回転させられ、円柱状のモータ部３４１ａから送風口３１１ａ側に向かって突出する回転軸３４１ｂとを有する。ファン台３４２は、フィン部分３２１に取り付けられた部材であって、固定部３４２ａと、支持部材突出部３４２ｂと、ファンモータ支持部３４２ｃとを有している。固定部３４２ａは熱交換器３２の上側に配置された部分である。支持部材突出部３４２ｂは、固定部３４２ａから送風口３１１ａ側に突出する部分である。また、支持部材突出部３４２ｂの送風口３１１ａ側先端は図３の下側に向かって折り曲げられている。さらに、支持部材突出部３４２ｂの中央には大きな略長方形の孔が設けられている。ファンモータ支持部３４２ｃは、支持部材突出部３４２ｂから鉛直方向下方側に向かってケーシング３１の底まで延びる板状の部分であって、ファンモータ３４１が取り付けられる部分である。なお、ファンモータ３４１と、ファン台３４２と、ファン３４３との重量の大部分はファンモータ支持部３４２ｃを介してケーシング３１の底によって支持されている。また、ファンモータ支持部３４２ｃは、長手方向に直交する方向の両端が折り曲げられており、平板で構成するよりも強度が高くなっている。ファン３４３は、ファンモータ３４１の回転軸３４１ｂに取り付けられた部材であって、室外機３内の空気を送風口３１１ａから送風する部材である。また、ファン３４３は、回転軸３４１ｂに対して相対回転不能に取り付けられた筒状部分３４３ａと、筒状部分３４３ａの側面に取り付けられた３枚の羽根部材３４３ｂを有している。さらに、ファン３４３は通風室３６の空気を外部に排出するために送風口３１１ａに向かって配置されている。
【００２９】
２．電装品ユニット
電装品ユニット５は、圧縮機３３の上側に配置されており、仕切り板３５とケーシング３１とに支持されている。また、電装品ユニット５は、図４及び図５に示すように、支持部材５１と、リアクタ５２１を含む複数の電装品５２と、端子板５３とを有している。
【００３０】
支持部材５１は、電装品５２及び端子板５３を支持する部材であって、ケーシング３１の上面に近接して配置されている。また、支持部材５１は、配置部５１１と、突出部５１２と、下方板状部５１３とを有している。配置部５１１は、リアクタ５２１以外の電装品５２を支持する部分であって、リアクタ５２１以外の電装品５２の上側に配置された板状の上側板状部５１１ａと、リアクタ５２１以外の電装品５２の側部に配置された側部支持部５１１ｂと、リアクタ５２１以外の電装品５２の下側に配置される下側支持板状部５１１ｄとを有している。この配置部５１１の上側板状部５１１ａと下側支持板状部５１１ｄとの間に電装品５２が配置されている。突出部５１２は、配置部５１１の上側板状部５１１ａから通風室３６が配置される方向の逆側に突出する板状の部分である。また、突出部５１２は、上側板状部５１１ａから突出する第１平板５１２ａを略コの字状に折り曲げ、両端をつなぐように両端に第２平板５１２ｂを接続して形成した中空状の部材である。さらに突出部５１２の上側の面には３本の溝５１２ｃが平行に配置されている。下方板状部５１３は、突出部５１２の配置部５１１側の端部に対して逆側の端部から下方に延びる部分であって、端子板取り付け部５１３ａと、支持部５１３ｂと、側壁部５１３ｃとを有している。端子板取り付け部５１３ａは端子板５３を取り付ける部分であって平板状に設けられた部分である。支持部５１３ｂは、端子板取り付け部５１３ａの下側に配置された部分であって、ケーシング３１に支持される部分である。この支持部５１３ｂには端子板５３の配線を支持する配線支持部５１３ｄが設けられている。側壁部５１３ｃは端子取り付け部５１３ａの両側部から外方に向かって延びる板状の部分である。なお、側部支持部５１１ｂの下側端部５１１ｃは下方板状部５１３の下端部５１３ｅとはほぼ同じ高さ位置になっている。ここで、ケーシング３１は端子板取り付け部５１３ａが配置された位置に対応する部分に開口３１ａを有しており、外部の電源に接続するために配線が開口３１ａを通るように配置されている（図２参照）。そして、この開口３１ａを塞ぐように不燃性樹脂素材によって形成された遮蔽板６が配置されており、機械室３７の内部が発火した場合でも外部へ影響を及ぼしにくくなっている。この遮蔽板６は端子板５３に接続された配線を支持するとともに機械室３７側と外部側とを遮断するためのものである。
【００３１】
複数の電装品５２は、配置部５１１に支持される部材であって、リアクタ５２１、パワートランジスタや複数のコンデンサ等である。リアクタ５２１は、略立方体状の部材であって、支持部材５１の突出部５１２に取り付けられた部材である。また、リアクタ５２１は他の電装品５２から少し距離を空けて配置されている。パワートランジスタには放熱フィン５２２が装着されている。放熱フィン５２２は、図６に示すように、パワートランジスタからの熱を逃がす為の機器であって、仕切り板の切り欠き３５１に支持されている。放熱フィン５２２の近傍には差し込み口５２３が設けられている。この差し込み口５２３は、電装品ユニット５の支持部材５１と、支持部材５１に対して所定の間隔を空けて設けられた差し込み板５２３ａとの間に形成されており、差し込み口５２３に仕切り板３５のレール３５２をスライドさせることで、電装品ユニット５が仕切り板３５に支持される。ここで、差し込み板５２３ａは図６の仕切り板の上側端部から所定の距離だけ形成されており、仕切り板３５のレール３５２と同じ長さである。このために、仕切り板３５の切り欠き３５１の全周を差し込み板５２３ａによって覆うことがない。さらに放熱フィン５２２の下側には仕切り板３５の切り欠き３５１に設けられた板状部分の長方形の孔３５３と互いに係合する係止部（図示せず）が設けられている。
【００３２】
端子板５３は、２つの電力供給線及び１つの信号線が接続されており、支持部材５１の端子板取り付け部５１３ａに取り付けられた部材である。２つの電力供給線は、空気調和機１の室内機２に接続されており、空気調和機１の室内機２を介して電源から電気が供給される。１つの信号線は、空気調和機１の室内機２と信号をやりとりするための線である。
【００３３】
３．特徴
この電装品ユニット５の支持部材５１は、電装品５２を支持する配置部５１１と、配置部５１１からケーシング３１の端部に向かって突出する突出部５１２を有し、突出部５１２にリアクタ５２１が取り付けられているために、リアクタ５２１以外の電装品５２とリアクタ５２１とを近い位置に配置することができる。このために、リアクタ５２１以外の電装品５２とリアクタ５２１とを一つのユニットとして扱うことができ、設計の自由度が増す。さらに、電装品５２から離れた位置であって電装品５２の上側にリアクタ５２１を配置するために、リアクタ５２１が発熱した場合であっても他の電装品５２に影響を与えにくくなる。そして、電装品ユニット５に端子板５３を配置することができるために、配線などの材料を削減することができ、コストを抑えることができる。側部支持部５１１ｂの下側端部５１１ｃは下方板状部５１３の下端部５１３ｅとはほぼ同じ高さ位置になっているために、机などに電装品ユニット５を置く場合に電装品ユニット５の姿勢を図５のような姿勢に保つことができる。また、このために、作業しやすくなり、メンテナンス及び修理を行いやすくなる。突出部５１２が中空状の板部材であり、突出部５１２の上面に３本の溝５１２ｃが形成されているために、強度が高くなっており、リアクタ５２１などの重い部材であっても支持することができる。さらに、支持部材５１が防炎素材によって形成されているために、電装品５２が発火した場合であっても、他の部材に影響を与えにくくすることができる。また、電装品ユニット５を仕切り板３５に支持させた状態で差し込み板５２３ａの一部のみが通風室３６側に位置しているために機械室３７側から発火した場合であっても通風室側に影響を与えにくくなる。
【００３４】
４．他の実施形態
上記実施形態では、端子板５３を配置するための下方板状部５１３を突出部５１２の端部に取り付けたが、本発明はこれに限られずに、下方板状部５１３を電装品ユニット５に設けなくとも良い。
【図面の簡単な説明】
【００３５】
【図１】空気調和機の全体外観図。
【図２】室外機のケーシングの一部を取り外した際の外観図。
【図３】ケーシングを取り外した室外機を示した図。
【図４】電装品ユニットを示した斜視図。
【図５】電装品ユニットの側面図。
【図６】電装品ユニットと仕切り板とを示す図。
【符号の説明】
【００３６】
１  空気調和機
３  室外機
５  電装品ユニット
５１  支持部材
５２  電装品
５３  端子板
５１１  配置部
５１２  突出部
５１３  下方板状部
５２１  リアクタ
５１３ｅ  下方板状部の下端部
５１１ｂ  側部支持部
５１１ｃ  側部支持部の下側端部
５１２ｃ  溝（凹状部）
【図１】
2008082577.tif 000003
【図２】
2008082577.tif 000004
【図３】
2008082577.tif 000005
【図４】
2008082577.tif 000006
【図５】
2008082577.tif 000007
【図６】
2008082577.tif 000008
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
空気調和機（１）の室外機（３）において所定の発熱部品を含む複数の電装品（５２）を収納する電装品ユニット（５）であって、
複数の前記電装品（５２）の一部を配置可能な配置部（５１１）と、前記配置部（５１１）と連結しており略水平方向に延びている突出部（５１２）とを有する支持部材（５１）と、
複数の前記電装品（５２）の一つであって、前記配置部（５１１）に配置された前記電装品（５２）に近い前記突出部（５１２）の面に取り付けられたリアクタ（５２１）と、
を備えた電装品ユニット（５）。
【請求項２】
前記支持部材（５１）は、
前記突出部（５１２）の前記配置部（５１１）側の第１端部の前記第１端部の逆側の第２端部から下側に延びるように設けられ、
端子板（５３）を配置可能な下方板状部（５１３）をさらに有している、
請求項１に記載の電装品ユニット（５）。
【請求項３】
前記配置部（５１１）は、前記リアクタ（５２１）以外の前記電装品（５２）の上側に配置される板状の部分（５１１ａ）と、前記リアクタ（５２１）以外の前記電装品（５２）の側部に、前記板状の部分（５１１ａ）から下側に垂れ下がるように配置された側部支持部（５１１ｂ）とを有し、
前記側部支持部（５１１ｂ）の下側端部（５１１ｃ）と前記下方板状部（５１３）の下端部（５１３ｅ）とがほぼ同じ高さ位置に位置する、
請求項２に記載の電装品ユニット（５）。
【請求項４】
前記支持部材（５１）は防炎部材によって形成されている、請求項１から３のいずれかに記載の電装品ユニット。
【請求項５】
前記突出部（５１２）は上面に前記突出部（５１２）の突出方向に延びて形成された凹状部（５１２ｃ）を有する、請求項１から４のいずれかに記載の電装品ユニット。
【手続補正２】
【補正対象書類名】明細書
【補正対象項目名】０００６
【補正方法】変更
【補正の内容】
【０００６】
発明１に係る電装品ユニットは、空気調和機の室外機において所定の発熱部品を含む複数の電装品を収納する電装品ユニットであって、支持部材と、リアクタとを備えている。支持部材は、複数の電装品の一部を配置可能な配置部と、配置部と連結しており、略水平方向に延びている突出部とを有する。リアクタは、複数の電装品の１つであって、配置部に配置された電装品に近い突出部の面に取り付けられている。
【手続補正３】
【補正対象書類名】明細書
【補正対象項目名】０００７
【補正方法】変更
【補正の内容】
【０００７】
この電装品ユニットでは、突出部は、配置部から略水平方向に延びている。そして、配置部には複数の電装品の一部が配置されており、突出部には、リアクタが、配置部に配置された電装品に近くなるにように取り付けられている。
【手続補正４】
【補正対象書類名】明細書
【補正対象項目名】０００８
【補正方法】変更
【補正の内容】
【０００８】
ここでは、リアクタは、突出部の面のうち、配置部に配置された電装品に近い面に取り付けられているため、配線に必要な材料を減らすことができ、配置部上の電装品と突出部上のリアクタとの間の配線を短くすることができる。従って、装置の小型化及びコストを削減することができる。また、配置部に配置された電装品とリアクタとを一つのユニットとして扱うことができ、設計の自由度が増す。
【手続補正５】
【補正対象書類名】明細書
【補正対象項目名】００１８
【補正方法】変更
【補正の内容】
【００１８】
発明１に係る電装品ユニットでは、リアクタは、突出部の面のうち、配置部に配置された電装品に近い面に取り付けられているため、配線に必要な材料を減らすことができ、配置部上の電装品と突出部上のリアクタとの間の配線を短くすることができる。従って、装置の小型化及びコストを削減することができる。また、配置部に配置された電装品とリアクタとを一つのユニットとして扱うことができ、設計の自由度が増す。